(57)【要約】【課題】この発明は、安定したドレン水滴下量を確保することができるとともに、保水部材の交換作業性が向上したエレベータ用空気調和機を得る。【解決手段】この発明に係るエレベータ用空気調和機は、冷媒を圧縮する圧縮機、圧縮された冷媒の熱を放熱して液化する凝縮器１、この液化された冷媒を蒸発させることにより周囲を冷却する蒸発器、凝縮器１の下方、蒸発器の下方に設けられ配管で互いに接続された第１の水溜皿２および第２の水溜皿、凝縮器１の上方に設けられ第１の水溜皿２からのドレン水を受けてこのドレン水を滴下させる穴５を有するドレン水滴下装置４、このドレン水滴下装置４の下側で凝縮器１の上面に設けられ滴下されたドレン水を凝縮器１上面に広げる保水部材６を有するものであって、ドレン水滴下装置４と保水部材６との間に間隔を一定に保持する空間保持部材７が設けられている。【選択図】        図１
2004292122.tif 000002
【特許請求の範囲】
【請求項１】
エレベータのかご室外に設置され、冷媒を圧縮する圧縮機、圧縮された冷媒の熱を放熱して液化する凝縮器、この液化された冷媒を蒸発させることにより周囲を冷却する蒸発器、前記凝縮器の下方、前記蒸発器の下方にそれぞれ設けられ配管で互いに接続された第１の水溜皿および第２の水溜皿、前記凝縮器の上方に設けられ前記第１の水溜皿から送られたドレン水を受けてこのドレン水を滴下させる穴を有するドレン水滴下装置、このドレン水滴下装置の下側で前記凝縮器の上面に設けられ前記穴を通じて滴下された前記ドレン水を前記凝縮器上面に広げる保水部材を備えたエレベータ用空気調和機であって、
前記ドレン水滴下装置と前記保水部材との間に間隔を一定に保持する空間保持部材が設けられているエレベータ用空気調和機。
【請求項２】
前記空間保持部材は、前記ドレン水滴下装置および前記保水部材の少なくとも一方に固定されている請求項１に記載のエレベータ用空気調和機。
【請求項３】
前記空間保持部材は、棒状である請求項１または請求項２に記載のエレベータ用空気調和機。
【請求項４】
前記空間保持部材は、格子形状である請求項１または請求項２に記載のエレベータ用空気調和機。
【請求項５】
前記空間保持部材は、保水部材を外側から包み込む外枠形状である請求項１または請求項２に記載のエレベータ用空気調和機。
【請求項６】
前記空間保持部材は、保水部材の内側に組み込まれた骨組である請求項１または請求項２に記載のエレベータ用空気調和機。
【請求項７】
前記保水部材は、抗菌処理が施されている請求項１ないし請求項６の何れかに記載のエレベータ用空気調和機。
【発明の詳細な説明】
【０００１】
【発明の属する技術分野】
この発明は、蒸発器で生じたドレン水を凝縮器上に設けられた保水部材に滴下させるドレン水滴下装置を有するエレベータ用空気調和機に関するものである。
【０００２】
【従来の技術】
室内の冷暖房に使用される空気調和機は、冷却部（蒸発器）に室内空気中の水分が露として凝縮することは周知のとおりである。エレベータに搭載される場合でもこのことは同様であるが、エレベータの場合、生成した水（ドレン水）を放出する適当な場所が無いので、従来からこのドレン水を蒸発させて処理する方法が採用されている。
【０００３】
特開平８−３０３８１３号公報には、その方法を採用したエレベータ用空気調和機が示されている。
以下、その公報に記載されたエレベータ用空気調和機について図１５、図１６、図１７および図１８を用いて説明する。
このエレベータ用空気調和機２０は、ビル内等の所定空間部を昇降するエレベータ（図示せず）のかご室外方の例えば頂部に設置されており、冷媒ガスを圧縮する圧縮機２１、圧縮された冷媒ガスを放熱して液化する凝縮器１、液化された冷媒を蒸発させる蒸発器２３の等の機器を冷媒管路２４で接続した冷凍サイクルを有している。また、凝縮器１の下方には第１の水溜皿２、蒸発器２３の下方には第２の水溜皿２６が配置されており、第１の水溜皿２と第２の水溜皿２６とは配管２７で接続されている。凝縮器１の片側には凝縮器１の方向に送風する送風機３が設けられている。
【０００４】
また、凝縮器１の上方には、ドレンポンプ等の送水装置３０で第１の水溜皿２から送られたドレン水を受けて穴５から水を凝縮器１の上面に広範囲に万辺に滴下させるドレン水滴下装置４が設けられている。
【０００５】
図１６は図１５の部分拡大図であり、繊維状または不織布状部材からなる布板状で通水可能な（例えばフェルト等）保水部材３１が、凝縮器１の上面の形状に沿って上部全面に設けられている。保水部材３１の端部では上方に折曲げて重ねた積層部３３が形成されているとともに、積層部３３以外のドレン水滴下装置４の下面および保水部材３１の上面間ではわずかな空間部３４が形成されている。この空間部３４に面してドレン水滴下装置２８の下面には小円径の（穴が細長いときは短径が小さい）穴５が形成されている。
【０００６】
次に、上記構成のエレベータ用空気調和機２０の動作について説明する。エレベータの昇降に伴うエレベータ用空気調和機２０の稼動により、蒸発器２３の表面に発生した水分が滴下し第２の水溜皿２６内のドレン水１００として溜まる。このドレン水１００は配管２７により第１の水溜皿２内に導水されて溜水となる。このドレン水１００が所定量に達すると、水位検知器（図示せず）の指令により送水装置３０が作動して、第１の水溜皿２内からドレン水滴下装置４内にドレン水が導かれ、図１８に示すように平均して複数個設けられた穴５から下方へ滴下する。
【０００７】
このドレン水は、空間部３４を経て保水部材３１にまず点状で滴下し、次に保水部材３１中を横方向に拡散しながら下方へ導かれ、凝縮器１の表面、例えば冷却フィン（図示せず）の表面にほぼ均一に付着しながら下方へ通水する。この際、凝縮器１は高温の冷媒によりおよそ５０〜６０°Ｃに昇温しているので、その熱によりドレン水が蒸発し、送風機３の風力で大気中に蒸散し、エレベータ用空間部に設けられた通風口から排気ファン（図示せず）等により排出される。蒸発されずに残ったドレン水は第１の水溜皿２に導水され、上記蒸発動作を繰返す。
【０００８】
ここで、図１７におけるドレン水の流れについて注目すると、この状態で第１の水溜皿２からドレン水滴下装置４に導水されたドレン水は、小円径の穴５から下方に垂れ下がり表面張力でほぼ半球状を形成しながら次第に増大する。このとき水の表面張力は水を上方に引く方向に作用しており水の出が減る方向に作用する。しかし、やがて垂れ下がった下端が保水部材３１に達すると、表面張力が今度は水を下方へ引くように作用する。空間部３４の寸法が適度に調節されていると、この動作が連続して行なわれ、順次ドレン水が凝縮器１の表面に導水されるので、水は連続した柱状となる。
【０００９】
【発明が解決しようとする課題】
従来のエレベータ用空気調和機では、保水部材３１をドレン水滴下装置４と凝縮器１との間に直接挟み込んで空間部３４を設けているために、空間部３４の寸法が保水部材３１の状態により異なり、安定したドレン水滴下量を確保することができないという問題点があった。
また、保水部材３１にはドレン水中のゴミを濾し取るフィルタの役目もあり、次第に汚れてくるので定期的な交換が必要となるが、繊維状または不織布状部材からなる布板状の保水部材３１をドレン水滴下装置４および凝縮器１の間に直接挟み込む構造のため、交換作業時の作業性が悪いという問題点もあった。
【００１０】
この発明は、上記のような問題点を解決することを課題とするものであって、安定したドレン水滴下量を確保することができるエレベータ用空気調和機を得ることを目的とする。
また、保水部材の交換作業性が向上したエレベータ用空気調和機を得ることを目的とする。
【００１１】
【課題を解決するための手段】
この発明に係るエレベータ用空気調和機は、エレベータのかご室外に設置され、冷媒を圧縮する圧縮機、圧縮された冷媒の熱を放熱して液化する凝縮器、この液化された冷媒を蒸発させることにより周囲を冷却する蒸発器、前記凝縮器の下方、前記蒸発器の下方にそれぞれ設けられ配管で互いに接続された第１の水溜皿および第２の水溜皿、前記凝縮器の上方に設けられ前記第１の水溜皿から送られたドレン水を受けてこのドレン水を滴下させる穴を有するドレン水滴下装置、このドレン水滴下装置の下側で前記凝縮器の上面に設けられ前記穴を通じて滴下された前記ドレン水を前記凝縮器上面に広げる保水部材を備えたものであって、前記ドレン水滴下装置と前記保水部材との間に間隔を一定に保持する空間保持部材が設けられている。
【００１２】
【発明の実施の形態】
以下、この発明の各実施の形態について説明するが、従来のものと同一、相当部材、部位については、同一符号を付して説明する。
実施の形態１．
図１はこの発明の実施の形態１のエレベータ用空気調和機の要部構成図、図２は図１のドレン水滴下装置４の底面図である。
このエレベータ用空気調和機では、ドレン水滴下装置４と凝縮器１上の保水部材６との間にドレン水滴下装置４と保水部材６との間の空間を保持する空間保持部材７が設けられている。この空間保持部材７は、一定の間隔で複数本ドレン水滴下装置４の底面に固定されており、形状は棒状である。
従って、ドレン水滴下装置４と保水部材６との間は、一定の間隔で配置された複数本の棒状の空間保持部材７により所定の空間が確保されているので、一定のドレン水滴下量が確保される。
【００１３】
なお、図１および図２では、複数の棒状の空間保持部材７がドレン水滴下装置４の底面に固定されているが、ドレン水の通りを妨げずにドレン水滴下装置４と保水部材６との間に所定の空間が確保できれば、その形状および数量が図と異なっていてもよい。
例えば、図３に示すように、ドレン水滴下装置４の底面に格子状の空間保持部材８を固定するようにしてもよい。
【００１４】
実施の形態２．
図４はこの発明の実施の形態２のエレベータ用空気調和機の要部構成図であり、ドレン水滴下装置４および凝縮器１の間で保水部材６を囲って空間保持部材９が設けられている。
この実施の形態では、ドレン水滴下装置４の底面に固定された空間保持部材９により、ドレン水滴下装置４と保水部材６との間に所定の空間が確保され、一定のドレン水滴下量が確保される。
【００１５】
なお、空間保持部材９は、ドレン水滴下装置４および凝縮器１からそれぞれ独立した部品であってもよいし、凝縮器１に接合するようにしてもよい。いずれにせよ、ドレン水滴下装置４と保水部材６との間に所定の空間が確保される構造であればよい。
【００１６】
実施の形態３．
図５はこの発明の実施の形態３のエレベータ用空気調和機の要部構成図、図６は図５の保水部材６の斜視図であり、保水部材６とドレン水滴下装置４との間に丸棒形状の空間保持部材１０が設けられている。
この実施の形態では、保水部材６上に空間保持部材１０を固定したことにより、保水部材６上にドレン水滴下装置４を設けた際に空間保持部材１０の厚み分の空間がドレン水滴下装置４と保水部材６との間で確保され、結果として一定のドレン水滴下量が確保される。
【００１７】
なお、この実施の形態では、複数個の丸棒形状の空間保持部材１０を保水部材６に取り付けているが、ドレン水の通りを妨げずにドレン水滴下装置４と保水部材６との間に所定の空間が確保できれば、その断面形状および数量が図と異なっていても問題とならない。その一例として、図７に示すように、保水部材６に格子状の空間保持部材１１を取り付けるようにしてもよい。
【００１８】
実施の形態４．
図８はこの発明の実施の形態４のエレベータ用空気調和機の要部構成図、図９は図８の保水部材６の斜視図であり、ドレン水滴下装置４と保水部材６との間の空間を確保するために、外枠形状の空間保持部材１２が保水部材６に取り付けられている。この空間保持部材１２は、保水部材６の設置時において保水部材６が凝縮器１に直接接することが可能な形状となっている。即ち、空間保持部材１２は、保水部材６の上部に取り付けられている。
この実施の形態では、所定の空間がドレン水滴下装置４と保水部材６との間で確保されるので、一定のドレン水滴下量が確保される。また、空間保持部材１２は外枠形状であるので、十分な強度を持った材質のものであれば、繊維状または不織布状部材からなる布板状の保水部材６の補強部材となり、保水部材６の取扱いが容易となるので、保水部材交換作業時の作業性が改善される。
【００１９】
実施の形態５．
図１０はこの発明の実施の形態５のエレベータ用空気調和機の要部構成図、図１１は図１０の保水部材６の斜視図であり、ドレン水滴下装置４と保水部材６との間の空間を確保するための保水部材６の内部に骨組１３が組み込まれている。この実施の形態では、空間保持部材である骨組１３により、保水部材６はドレン水滴下装置４と保水部材６との間の空間を確保し得る形状を維持することができる。そのため、上記各実施の形態と同様に、所定の空間をドレン水滴下装置４と保水部材６との間で確保され、一定のドレン水滴下量が確保される。
また、骨組１３は、繊維状または不織布状部材からなる布板状の保水部材６の補強部材として作用し、保水部材６の取扱いが容易となるので、保水部材交換作業時の作業性が改善される。
なお、図１０および図１１に示された骨組１３の形状は一例に過ぎず、ドレン水の通りを妨げずにドレン水滴下装置４と保水部材６との間に所定の空間を確保し得る形状を保水部材６が維持できるならば、図１０および図１１と異なる形状でも問題はない。
【００２０】
実施の形態６．
図１２はこの発明の実施の形態６のエレベータ用空気調和機の要部構成図であり、この実施の形態では、前記実施の形態２の空間保持部材９に、複数の丸棒形状の空間保持部材１０が保水部材６に固定された実施の形態３のものを組み合わせたものでもよい。このとき、空間保持部材９は、ドレン水滴下装置４が空間保持部材１０を介して保水部材６を押さえることができる高さを有するものである。これにより、保水部材６はドレン水滴下装置４から所定の空間を確保した状態で固定され、一定のドレン水滴下量が確保される。
【００２１】
なお、この実施の形態では、ドレン水滴下装置４が保水部材６を押さえることにより、保水部材６の変動を防止しつつ所定の空間を確保するように固定できればよいのであり、図１３もしくは図１４のような構成としても構わない。
【００２２】
実施の形態７．
上記の各実施の形態では、ドレン水滴下装置４と保水部材６との間に所定の空間を確保することを前提としているが、このことはドレン水中のゴミを濾し取るフィルタを兼ねる保水部材が空気に触れる表面積が増えることであり、保水部材６でのカビ繁殖の可能性が高くなることを意味する。そこで、保水部材６に抗菌処理を施せば、カビの繁殖を防止できる上に保水部材の交換周期を伸ばすことが可能となる。
【００２３】
【発明の効果】
以上説明したように、この発明のエレベータ用空気調和機によれば、エレベータのかご室外に設置され、冷媒を圧縮する圧縮機、圧縮された冷媒の熱を放熱して液化する凝縮器、この液化された冷媒を蒸発させることにより周囲を冷却する蒸発器、前記凝縮器の下方、前記蒸発器の下方にそれぞれ設けられ配管で互いに接続された第１の水溜皿および第２の水溜皿、前記凝縮器の上方に設けられ前記第１の水溜皿から送られたドレン水を受けてこのドレン水を滴下させる穴を有するドレン水滴下装置、このドレン水滴下装置の下側で前記凝縮器の上面に設けられ前記穴を通じて滴下された前記ドレン水を前記凝縮器上面に広げる保水部材を備えたものであって、前記ドレン水滴下装置と前記保水部材との間に間隔を一定に保持する空間保持部材が設けられているので、保水部材の状態によらずドレン水滴下装置と保水部材との空間部寸法を一定に保持でき、安定してドレン水滴下量を確保することができる。
【図面の簡単な説明】
【図１】この発明の一実施の形態のエレベータ用空気調和機の要部構成図である。
【図２】図１のドレン水滴下装置の底面図である。
【図３】この発明の一実施の形態の他の例を示すドレン水滴下装置の底面図である。
【図４】この発明の他の実施の形態のエレベータ用空気調和機の要部構成図である。
【図５】この発明の他の実施の形態のエレベータ用空気調和機の要部構成図である。
【図６】図５の保水部材の斜視図である。
【図７】この発明の他の実施の形態の他の例を示す保水部材の斜視図である。
【図８】この発明の他の実施の形態のエレベータ用空気調和機の要部構成図である。
【図９】図８の保水部材の斜視図である。
【図１０】この発明の他の実施の形態のエレベータ用空気調和機の要部構成図である。
【図１１】図１０の保水部材の斜視図である。
【図１２】この発明の他の実施の形態のエレベータ用空気調和機の要部構成図である。
【図１３】この他の実施の形態のエレベータ用空気調和機の要部構成図である。
【図１４】この発明の他の実施の形態のエレベータ用空気調和機の要部構成図である。
【図１５】従来のエレベータ用空気調和機を示す概要図である。
【図１６】図１５の要部拡大図である。
【図１７】図１６の要部拡大図である。
【図１８】図１６のドレン水滴下装置の底面図である。
【符号の説明】
１  凝縮器、２  第１の水溜皿、３  送風機、４  ドレン水滴下装置、５  穴、６  保水部材、７，８，９，１０，１１，１２  空間保持部材、１３  骨組（空間保持部材）。
【図１】
2004292122.tif 000003
【図２】
2004292122.tif 000004
【図３】
2004292122.tif 000005
【図４】
2004292122.tif 000006
【図５】
2004292122.tif 000007
【図６】
2004292122.tif 000008
【図７】
2004292122.tif 000009
【図８】
2004292122.tif 000010
【図９】
2004292122.tif 000011
【図１０】
2004292122.tif 000012
【図１１】
2004292122.tif 000013
【図１２】
2004292122.tif 000014
【図１３】
2004292122.tif 000015
【図１４】
2004292122.tif 000016
【図１５】
2004292122.tif 000017
【図１６】
2004292122.tif 000018
【図１７】
2004292122.tif 000019
【図１８】
2004292122.tif 000020